(57)【要約】      （修正有）【課題】エクステンダーレンズに置換時の温度変化に伴う焦点位置ズレを良好に補正しつつ、色収差を低減したズームレンズ、エクステンダーレンズ、および、撮像装置を提供する。【解決手段】物体側から順に、合焦のために移動する合焦用レンズ群を含む合焦部と、変倍のために相互間隔を変化させて移動する少なくとも２つの変倍用レンズ群を含む変倍部と、開口絞りＳｔと、結像用レンズ群を含む結像部Ｍとを有し、結像部は、物体側から順に、Ｍ１レンズ群と、Ｍ２Ｅレンズ群と、Ｍ３レンズ群とからなり、Ｍ２Ｅレンズ群は、所定の条件式を満足する。【選択図】図２
2020003728.tif 000002
【特許請求の範囲】
【請求項１】
物体側から順に、合焦のために移動する合焦用レンズ群を含む合焦部と、変倍のために相互間隔を変化させて移動する少なくとも２つの変倍用レンズ群を含む変倍部と、開口絞りと、結像用レンズ群を含む結像部とを有し、
前記結像部は、物体側から順に、Ｍ１レンズ群と、Ｍ２Ｎレンズ群と、Ｍ３レンズ群とからなり、
前記Ｍ２Ｎレンズ群は、結像倍率を拡大させるＭ２Ｅレンズ群と置換可能であり、
前記Ｍ２Ｅレンズ群は、前記Ｍ２Ｅレンズ群の正レンズのアッベ数をνｄ１、空気中でのｄ線における屈折率の温度変化係数の０℃から４０℃の平均値をｄｎ／ｄｔ、前記Ｍ２Ｅレンズ群の正レンズのｄｎ／ｄｔをｄｎ／ｄｔ１とした場合、
５５＜νｄ１    （１）
５．５＜ｄｎ／ｄｔ１＜１０    （２）
で表される条件式（１）および（２）を満足する正レンズを少なくとも１つ備え、
前記Ｍ２Ｅレンズ群の正レンズのｄｎ／ｄｔの平均値をｄｎ／ｄｔ＿ａｖｅ＿Ｐ、前記Ｍ２Ｅレンズ群の負レンズのｄｎ／ｄｔの平均値をｄｎ／ｄｔ＿ａｖｅ＿Ｎとした場合、
３．５＜ｄｎ／ｄｔ＿ａｖｅ＿Ｐ＜６    （３）
１．５＜ｄｎ／ｄｔ＿ａｖｅ＿Ｎ＜６    （４）
で表される条件式（３）および（４）を満足するズームレンズ。
【請求項２】
条件式（１）および（２）を満足する少なくとも１枚の正レンズは、前記Ｍ２Ｅレンズ群の正レンズのｇ線とＦ線間の部分分散比をθｇＦとした場合、
０．６２＜θｇＦ＋０．００１６２５×νｄ１＜０．６７    （５）
で表される条件式（５）を満足する請求項１記載のズームレンズ。
【請求項３】
前記Ｍ２Ｅレンズ群の正レンズのｇ線とＦ線間の部分分散比をθｇＦ、前記Ｍ２Ｅレンズ群の正レンズの（θｇＦ＋０．００１６２５×νｄ１）の平均値を（θｇＦ＋０．００１６２５×νｄ１）＿ａｖｅ＿Ｐとした場合、
０．６２＜（θｇＦ＋０．００１６２５×νｄ１）＿ａｖｅ＿Ｐ＜０．６７    （６）
で表される条件式（６）を満足する請求項１または２記載のズームレンズ。
【請求項４】
前記Ｍ２Ｅレンズ群の負レンズの屈折率の平均値をｎｄ＿ａｖｅ＿Ｎ、前記Ｍ２Ｅレンズ群の正レンズの屈折率の平均値をｎｄ＿ａｖｅ＿Ｐとした場合、
０．０１＜ｎｄ＿ａｖｅ＿Ｎ−ｎｄ＿ａｖｅ＿Ｐ＜０．２    （７）
で表される条件式（７）を満足する請求項１から３のいずれか１項記載のズームレンズ。
【請求項５】
前記Ｍ２Ｅレンズ群は、少なくとも１枚の正レンズと少なくとも１枚の負レンズを備える接合レンズを少なくとも３つ備える請求項１から４のいずれか１項記載のズームレンズ。
【請求項６】
前記Ｍ２Ｅレンズ群の前記接合レンズを構成する正レンズのｄ線基準のアッベ数をνｄ＿Ｐ１、前記Ｍ２Ｅレンズ群の前記接合レンズを構成する正レンズのｄ線基準のアッベ数をνｄ＿Ｐ２、前記Ｍ２Ｅレンズ群の前記接合レンズを構成する負レンズのｄ線基準のアッベ数をνｄ＿Ｎ１、前記Ｍ２Ｅレンズ群の前記接合レンズを構成する負レンズのｄ線基準のアッベ数をνｄ＿Ｎ２とした場合、
前記Ｍ２Ｅレンズ群が備える前記接合レンズのうち、少なくとも２つは
１０＜νｄ＿Ｐ１−νｄ＿Ｎ１＜３０    （８）
で表される条件式（８）を満足し、
前記Ｍ２Ｅレンズ群が備える前記接合レンズのうち、少なくとも１つは
１０＜νｄ＿Ｎ２−νｄ＿Ｐ２＜３５    （９）
で表される条件式（９）を満足する請求項５記載のズームレンズ。
【請求項７】
前記Ｍ２Ｅレンズ群は、物体側から順に、３つの前記接合レンズと、物体側に凹面を向けた負メニスカスレンズとからなる請求項５または６記載のズームレンズ。
【請求項８】
前記合焦用レンズ群は、正の屈折力を有し、
前記変倍部は、物体側から順に、負の屈折力を有するＶ１レンズ群と、正の屈折力を有するＶ２レンズ群と、正の屈折力を有するＶ３レンズ群とからなり、
前記結像部は、正の屈折力を有し、
広角端から望遠端への変倍時に、前記Ｖ１レンズ群と、前記Ｖ２レンズ群および前記Ｖ３レンズ群からなる合成群とは、それぞれの横倍率が−１倍の点を同時に通る請求項１から７のいずれか１項記載のズームレンズ。
【請求項９】
前記Ｍ１レンズ群は負の屈折力を有し、前記Ｍ２Ｅレンズ群および前記Ｍ３レンズ群は正の屈折力を有する請求項１から８のいずれか１項記載のズームレンズ。
【請求項１０】
条件式（１）および（２）を満足する正レンズは、
５５＜νｄ１＜７０    （１−１）
５．７５＜ｄｎ／ｄｔ１＜８．５    （２−１）
で表される条件式（１−１）および／または（２−１）を満足する請求項１記載のズームレンズ。
【請求項１１】
条件式（１）および（２）を満足する正レンズは、
５５＜νｄ１＜６０    （１−２）
６＜ｄｎ／ｄｔ１＜７．５    （２−２）
で表される条件式（１−２）および／または（２−２）を満足する請求項１記載のズームレンズ。
【請求項１２】
３．７５＜ｄｎ／ｄｔ＿ａｖｅ＿Ｐ＜５．５    （３−１）
２＜ｄｎ／ｄｔ＿ａｖｅ＿Ｎ＜５    （４−１）
で表される条件式（３−１）および／または（４−１）を満足する請求項１記載のズームレンズ。
【請求項１３】
４＜ｄｎ／ｄｔ＿ａｖｅ＿Ｐ＜５    （３−２）
で表される条件式（３−２）を満足する請求項１記載のズームレンズ。
【請求項１４】
条件式（１）および（２）を満足する少なくとも１枚の正レンズは、
０．６３＜θｇＦ＋０．００１６２５×νｄ１＜０．６６    （５−１）
で表される条件式（５−１）を満足する請求項２記載のズームレンズ。
【請求項１５】
０．６３＜（θｇＦ＋０．００１６２５×νｄ１）＿ａｖｅ＿Ｐ＜０．６６    （６−１）
で表される条件式（６−１）を満足する請求項３記載のズームレンズ。
【請求項１６】
０．０１＜ｎｄ＿ａｖｅ＿Ｎ−ｎｄ＿ａｖｅ＿Ｐ＜０．１５    （７−１）
で表される条件式（７−１）を満足する請求項４記載のズームレンズ。
【請求項１７】
前記Ｍ２Ｅレンズ群が備える前記接合レンズのうち、少なくとも２つは
１７＜νｄ＿Ｐ１−νｄ＿Ｎ１＜３０    （８−１）
で表される条件式（８−１）を満足する請求項６記載のズームレンズ。
【請求項１８】
前記Ｍ２Ｅレンズ群が備える前記接合レンズのうち、少なくとも１つは
１７＜νｄ＿Ｎ２−νｄ＿Ｐ２＜３５    （９−１）
で表される条件式（９−１）を満足する請求項６記載のズームレンズ。
【請求項１９】
請求項１から１８のいずれか１項記載のズームレンズにおける前記Ｍ２Ｅレンズ群からなるエクステンダーレンズ。
【請求項２０】
請求項１から１８のいずれか１項記載のズームレンズを備えた撮像装置。
【発明の詳細な説明】
【技術分野】
【０００１】
本開示は、ズームレンズ、エクステンダーレンズ、および、撮像装置に関する。
【背景技術】
【０００２】
近年、映像の高画質化が進んでおり、放送用カメラ等の撮像装置に使用可能な４Ｋ以上の解像性能を有するレンズ系が求められている。放送用カメラ用のレンズ系としては、多様なシーンに対応できるよう変倍機能を有するものが好まれることから一般にズームレンズが用いられている。さらに変倍が要求される際には、全系の焦点距離を変更可能なエクステンダーレンズが用いられている。特許文献１〜３には、ズームレンズ中の一部のレンズ群を光路に対して挿脱可能にし、このレンズ群をエクステンダーレンズと置換することが記載されている。
【先行技術文献】
【特許文献】
【０００３】
【特許文献１】特開２０１１−０７５６４６号公報
【特許文献２】特許第３８６２１１７号公報
【特許文献３】特許第３５１３２６４号公報
【発明の概要】
【発明が解決しようとする課題】
【０００４】
全長が不変のズームレンズ中の一部のレンズ群をエクステンダーレンズに置換した場合、アフォーカル倍率の拡大に伴って温度特性が変化する。ズームレンズの温度特性が変化すると、温度変化に伴う焦点位置ズレが発生するという問題が生じる。特許文献１〜３のズームレンズでは、ズームレンズ中の一部のレンズ群をエクステンダーレンズに置換した場合に、特に色収差が悪化するという問題がある。
【０００５】
本開示は、上記事情に鑑み、エクステンダーレンズに置換時の温度変化に伴う焦点位置ズレを良好に補正しつつ、色収差を低減したズームレンズ、エクステンダーレンズ、および、撮像装置を提供することを目的とする。
【課題を解決するための手段】
【０００６】
上記の課題を解決するための具体的手段には、以下の態様が含まれる。
【０００７】
＜１＞  物体側から順に、合焦のために移動する合焦用レンズ群を含む合焦部と、変倍のために相互間隔を変化させて移動する少なくとも２つの変倍用レンズ群を含む変倍部と、開口絞りと、結像用レンズ群を含む結像部とを有し、結像部は、物体側から順に、Ｍ１レンズ群と、Ｍ２Ｎレンズ群と、Ｍ３レンズ群とからなり、Ｍ２Ｎレンズ群は、結像倍率を拡大させるＭ２Ｅレンズ群と置換可能であり、Ｍ２Ｅレンズ群は、Ｍ２Ｅレンズ群の正レンズのアッベ数をνｄ１、空気中でのｄ線における屈折率の温度変化係数の０℃から４０℃の平均値をｄｎ／ｄｔ、Ｍ２Ｅレンズ群の正レンズのｄｎ／ｄｔをｄｎ／ｄｔ１とした場合、条件式（１）および（２）を満足する正レンズを少なくとも１つ備え、Ｍ２Ｅレンズ群の正レンズのｄｎ／ｄｔの平均値をｄｎ／ｄｔ＿ａｖｅ＿Ｐ、Ｍ２Ｅレンズ群の負レンズのｄｎ／ｄｔの平均値をｄｎ／ｄｔ＿ａｖｅ＿Ｎとした場合、条件式（３）および（４）を満足するズームレンズ。
５５＜νｄ１    （１）
５．５＜ｄｎ／ｄｔ１＜１０    （２）
３．５＜ｄｎ／ｄｔ＿ａｖｅ＿Ｐ＜６    （３）
１．５＜ｄｎ／ｄｔ＿ａｖｅ＿Ｎ＜６    （４）
【０００８】
＜２＞  条件式（１）および（２）を満足する少なくとも１枚の正レンズは、Ｍ２Ｅレンズ群の正レンズのｇ線とＦ線間の部分分散比をθｇＦとした場合、条件式（５）を満足する＜１＞のズームレンズ。
０．６２＜θｇＦ＋０．００１６２５×νｄ１＜０．６７    （５）
【０００９】
＜３＞  Ｍ２Ｅレンズ群の正レンズのｇ線とＦ線間の部分分散比をθｇＦ、Ｍ２Ｅレンズ群の正レンズの（θｇＦ＋０．００１６２５×νｄ１）の平均値を（θｇＦ＋０．００１６２５×νｄ１）＿ａｖｅ＿Ｐとした場合、条件式（６）を満足する＜１＞または＜２＞のズームレンズ。
０．６２＜（θｇＦ＋０．００１６２５×νｄ１）＿ａｖｅ＿Ｐ＜０．６７    （６）
【００１０】
＜４＞  Ｍ２Ｅレンズ群の負レンズの屈折率の平均値をｎｄ＿ａｖｅ＿Ｎ、Ｍ２Ｅレンズ群の正レンズの屈折率の平均値をｎｄ＿ａｖｅ＿Ｐとした場合、条件式（７）を満足する＜１＞から＜３＞のいずれかのズームレンズ。
０．０１＜ｎｄ＿ａｖｅ＿Ｎ−ｎｄ＿ａｖｅ＿Ｐ＜０．２    （７）
【００１１】
＜５＞  Ｍ２Ｅレンズ群は、少なくとも１枚の正レンズと少なくとも１枚の負レンズを備える接合レンズを少なくとも３つ備える＜１＞から＜４＞のいずれかのズームレンズ。
【００１２】
＜６＞  Ｍ２Ｅレンズ群の接合レンズを構成する正レンズのｄ線基準のアッベ数をνｄ＿Ｐ１、Ｍ２Ｅレンズ群の接合レンズを構成する正レンズのｄ線基準のアッベ数をνｄ＿Ｐ２、Ｍ２Ｅレンズ群の接合レンズを構成する負レンズのｄ線基準のアッベ数をνｄ＿Ｎ１、Ｍ２Ｅレンズ群の接合レンズを構成する負レンズのｄ線基準のアッベ数をνｄ＿Ｎ２とした場合、Ｍ２Ｅレンズ群が備える接合レンズのうち、少なくとも２つは条件式（８）を満足し、Ｍ２Ｅレンズ群が備える接合レンズのうち、少なくとも１つは条件式（９）を満足する＜５＞のズームレンズ。
１０＜νｄ＿Ｐ１−νｄ＿Ｎ１＜３０    （８）
１０＜νｄ＿Ｎ２−νｄ＿Ｐ２＜３５    （９）
【００１３】
なお、条件式（８）および（９）に関して、接合レンズが複数の正レンズを含む場合には、接合レンズ中で最も屈折力の絶対値が高い正レンズを条件式の計算に用いる。同様に、接合レンズが複数の負レンズを含む場合には、接合レンズ中で最も屈折力の絶対値が高い負レンズを条件式の計算に用いる。
【００１４】
＜７＞  Ｍ２Ｅレンズ群は、物体側から順に、３つの接合レンズと、物体側に凹面を向けた負メニスカスレンズとからなる＜５＞または＜６＞のズームレンズ。
【００１５】
＜８＞  合焦用レンズ群は、正の屈折力を有し、変倍部は、物体側から順に、負の屈折力を有するＶ１レンズ群と、正の屈折力を有するＶ２レンズ群と、正の屈折力を有するＶ３レンズ群とからなり、結像部は、正の屈折力を有し、広角端から望遠端への変倍時に、Ｖ１レンズ群と、Ｖ２レンズ群およびＶ３レンズ群からなる合成群とは、それぞれの横倍率が−１倍の点を同時に通る＜１＞から＜７＞のいずれかのズームレンズ。
【００１６】
＜９＞  Ｍ１レンズ群は負の屈折力を有し、Ｍ２Ｅレンズ群およびＭ３レンズ群は正の屈折力を有する＜１＞から＜８＞のいずれかのズームレンズ。
【００１７】
＜１０＞  条件式（１）および（２）を満足する正レンズは、条件式（１−１）および／または（２−１）を満足する＜１＞のズームレンズ。
５５＜νｄ１＜７０    （１−１）
５．７５＜ｄｎ／ｄｔ１＜８．５    （２−１）
【００１８】
＜１１＞  条件式（１）および（２）を満足する正レンズは、条件式（１−２）および／または（２−２）を満足する＜１＞のズームレンズ。
５５＜νｄ１＜６０    （１−２）
６＜ｄｎ／ｄｔ１＜７．５    （２−２）
【００１９】
＜１２＞  条件式（３−１）および／または（４−１）を満足する＜１＞のズームレンズ。
３．７５＜ｄｎ／ｄｔ＿ａｖｅ＿Ｐ＜５．５    （３−１）
２＜ｄｎ／ｄｔ＿ａｖｅ＿Ｎ＜５    （４−１）
【００２０】
＜１３＞  条件式（３−２）を満足する＜１＞のズームレンズ。
４＜ｄｎ／ｄｔ＿ａｖｅ＿Ｐ＜５    （３−２）
【００２１】
＜１４＞  条件式（１）および（２）を満足する少なくとも１枚の正レンズは、条件式（５−１）を満足する＜２＞のズームレンズ。
０．６３＜θｇＦ＋０．００１６２５×νｄ１＜０．６６    （５−１）
【００２２】
＜１５＞  条件式（６−１）を満足する＜３＞のズームレンズ。
０．６３＜（θｇＦ＋０．００１６２５×νｄ１）＿ａｖｅ＿Ｐ＜０．６６    （６−１）
【００２３】
＜１６＞  条件式（７−１）を満足する＜４＞のズームレンズ。
０．０１＜ｎｄ＿ａｖｅ＿Ｎ−ｎｄ＿ａｖｅ＿Ｐ＜０．１５    （７−１）
【００２４】
＜１７＞  Ｍ２Ｅレンズ群が備える接合レンズのうち、少なくとも２つは条件式（８−１）を満足する＜６＞のズームレンズ。
１７＜νｄ＿Ｐ１−νｄ＿Ｎ１＜３０    （８−１）
【００２５】
＜１８＞  Ｍ２Ｅレンズ群が備える接合レンズのうち、少なくとも１つは条件式（９−１）を満足する＜６＞のズームレンズ。
１７＜νｄ＿Ｎ２−νｄ＿Ｐ２＜３５    （９−１）
【００２６】
＜１９＞  ＜１＞から＜１８＞のいずれかのズームレンズにおけるＭ２Ｅレンズ群からなるエクステンダーレンズ。
【００２７】
＜２０＞  ＜１＞から＜１８＞のいずれかのズームレンズを備えた撮像装置。
【００２８】
なお、本明細書の「〜からなり」、「〜からなる」は、挙げられた構成要素以外に、実質的に屈折力を有さないレンズ、並びに、絞り、フィルタ、及びカバーガラス等のレンズ以外の光学要素、並びに、レンズフランジ、レンズバレル、撮像素子、及び手振れ補正機構等の機構部分、等が含まれていてもよいことを意図する。
【００２９】
また、本明細書の「正の屈折力を有する〜群」は、群全体として正の屈折力を有することを意味する。同様に「負の屈折力を有する〜群」は、群全体として負の屈折力を有することを意味する。「正の屈折力を有するレンズ」と「正レンズ」とは同義である。「負の屈折力を有するレンズ」と「負レンズ」とは同義である。「レンズ群」は、複数のレンズからなる構成に限らず、１枚のみのレンズからなる構成としてもよい。
【００３０】
また、条件式で用いている値は、部分分散比以外はｄ線を基準とした場合の値である。あるレンズのｇ線とＦ線間の部分分散比θｇＦとは、ｇ線、Ｆ線、および、Ｃ線に対するそのレンズの屈折率をそれぞれＮｇ、ＮＦ、および、ＮＣとした場合に、θｇＦ＝（Ｎｇ−ＮＦ）／（ＮＦ−ＮＣ）で定義される。本明細書に記載の「ｄ線」、「Ｃ線」、「Ｆ線」、および、「ｇ線」は輝線であり、ｄ線の波長は５８７．５６ｎｍ（ナノメートル）、Ｃ線の波長は６５６．２７ｎｍ（ナノメートル）、Ｆ線の波長は４８６．１３ｎｍ（ナノメートル）、ｇ線の波長は４３５．８４ｎｍ（ナノメートル）である。
【発明の効果】
【００３１】
本開示によれば、エクステンダーレンズに置換時の温度変化に伴う焦点位置ズレを良好に補正しつつ、色収差を低減したズームレンズ、エクステンダーレンズ、および、撮像装置を提供することができる。
【図面の簡単な説明】
【００３２】
【図１】本発明の実施例１のズームレンズの基準状態の構成を示す断面図である。
【図２】本発明の実施例１のズームレンズの置換状態の結像部とその近傍の構成を示す断面図である。
【図３】本発明の実施例２のズームレンズの置換状態の結像部とその近傍の構成を示す断面図である。
【図４】本発明の実施例３のズームレンズの置換状態の結像部とその近傍の構成を示す断面図である。
【図５】本発明の実施例１のズームレンズの基準状態の各収差図である。
【図６】本発明の実施例１のズームレンズの置換状態の各収差図である。
【図７】本発明の実施例２のズームレンズの置換状態の各収差図である。
【図８】本発明の実施例３のズームレンズの置換状態の各収差図である。
【図９】本発明の一実施形態に係る撮像装置の概略構成図である。
【発明を実施するための形態】
【００３３】
以下、本発明の一実施形態について図面を参照して詳細に説明する。本実施形態のズームレンズは、その一部のレンズ群であるＭ２Ｎレンズ群Ｍ２Ｎが光路に挿脱可能であり、Ｍ２Ｎレンズ群Ｍ２ＮをエクステンダーレンズであるＭ２Ｅレンズ群Ｍ２Ｅと置換することにより、像面Ｓｉｍの位置を一定に保ったまま結像倍率を拡大可能なように構成されている。以下の説明では、ズームレンズにＭ２Ｎレンズ群Ｍ２Ｎが配されている状態を基準状態といい、Ｍ２Ｎレンズ群Ｍ２ＮがエクステンダーレンズであるＭ２Ｅレンズ群Ｍ２Ｅに置換された状態を置換状態ということにする。
【００３４】
図１は本発明の一実施形態に係るズームレンズの広角端における基準状態の構成を示す断面図であり、図２は図１に示すズームレンズの置換状態の結像部とその近傍の構成を示す断面図である。図１および図２に示す構成例は、後述する本発明の実施例１に係るズームレンズに対応している。図１および図２では、左側が物体側、右側が像側である。
【００３５】
図１に示すズームレンズは、光軸Ｚに沿って物体側から像側へ向かって順に、合焦のために移動する合焦用レンズ群Ｆ２を含む合焦部Ｆと、変倍のために相互間隔を変化させて移動する少なくとも２つの変倍用レンズ群を含む変倍部Ｖと、通過光量を制限する開口絞りＳｔと、結像用レンズ群を含む結像部Ｍとを有し、変倍時に全長が不変となるように構成されている。
【００３６】
結像部Ｍは、物体側から順に、Ｍ１レンズ群Ｍ１と、Ｍ２Ｎレンズ群Ｍ２Ｎと、Ｍ３レンズ群Ｍ３とからなり、Ｍ２Ｎレンズ群Ｍ２Ｎは、置換後の全系の結像倍率を置換前の全系の結像倍率より拡大させるエクステンダーレンズであるＭ２Ｅレンズ群Ｍ２Ｅと置換可能に構成されている。
【００３７】
なお、図１および図２の例では結像部Ｍと像面Ｓｉｍとの間に入射面および出射面が光軸Ｚに垂直な光学部材ＰＰが配置されている。光学部材ＰＰは、各種フィルタ、プリズム、および／またはカバーガラス等を想定したものである。本発明においては、光学部材ＰＰは図１の例とは異なる位置に配置されていてもよく、光学部材ＰＰを省略した構成も可能である。また、図１および図２に示す開口絞りＳｔは必ずしも大きさや形状を表すものではなく、光軸Ｚ上の位置を示すものである。
【００３８】
Ｍ２Ｅレンズ群Ｍ２Ｅは、Ｍ２Ｅレンズ群Ｍ２Ｅの正レンズのアッベ数をνｄ１、空気中でのｄ線における屈折率の温度変化係数の０℃から４０℃の平均値をｄｎ／ｄｔ、Ｍ２Ｅレンズ群Ｍ２Ｅの正レンズのｄｎ／ｄｔをｄｎ／ｄｔ１とした場合、条件式（１）および（２）を満足する正レンズを少なくとも１つ備える。
５５＜νｄ１    （１）
５．５＜ｄｎ／ｄｔ１＜１０    （２）
【００３９】
条件式（１）を満足することによって、１次色収差を良好に補正可能となる。なお、条件式（１−１）および／または（１−２）を満足するものとすれば、より良好な特性とすることができる。
５５＜νｄ１＜７０    （１−１）
５５＜νｄ１＜６０    （１−２）
【００４０】
条件式（２）を満足することによって、温度変化に伴うエクステンダーレンズ（Ｍ２Ｅレンズ群Ｍ２Ｅ）置換時の焦点位置ズレを良好に補正可能となる。特に、Ｍ２Ｅレンズ群Ｍ２Ｅにおいて、条件式（１）および（２）を同時に満足する材料の正レンズ持たせることによって、１次色収差の良好な補正と温度変化に伴うエクステンダーレンズ（Ｍ２Ｅレンズ群Ｍ２Ｅ）置換時の焦点位置ズレの良好な補正に大きく寄与し、それ以外のレンズは一般的な材料の選択が可能となるため、設計自由度を向上させることができる。なお、条件式（２−１）および／または（２−２）を満足するものとすれば、より良好な特性とすることができる。
５．７５＜ｄｎ／ｄｔ１＜８．５    （２−１）
６＜ｄｎ／ｄｔ１＜７．５    （２−２）
【００４１】
さらに、Ｍ２Ｅレンズ群Ｍ２Ｅの正レンズのｄｎ／ｄｔの平均値をｄｎ／ｄｔ＿ａｖｅ＿Ｐ、Ｍ２Ｅレンズ群Ｍ２Ｅの負レンズのｄｎ／ｄｔの平均値をｄｎ／ｄｔ＿ａｖｅ＿Ｎとした場合、条件式（３）および（４）を満足するように構成されている。
３．５＜ｄｎ／ｄｔ＿ａｖｅ＿Ｐ＜６    （３）
１．５＜ｄｎ／ｄｔ＿ａｖｅ＿Ｎ＜６    （４）
【００４２】
条件式（３）を満足することによって、温度変化に伴うエクステンダーレンズ（Ｍ２Ｅレンズ群Ｍ２Ｅ）置換時の焦点位置ズレを良好に補正可能となる。なお、条件式（３−１）および／または（３−２）を満足するものとすれば、より良好な特性とすることができる。
３．７５＜ｄｎ／ｄｔ＿ａｖｅ＿Ｐ＜５．５    （３−１）
４＜ｄｎ／ｄｔ＿ａｖｅ＿Ｐ＜５    （３−２）
【００４３】
条件式（４）を満足することによって、温度変化に伴うエクステンダーレンズ（Ｍ２Ｅレンズ群Ｍ２Ｅ）置換時の焦点位置ズレを良好に補正可能となる。なお、条件式（４−１）を満足するものとすれば、より良好な特性とすることができる。
２＜ｄｎ／ｄｔ＿ａｖｅ＿Ｎ＜５    （４−１）
【００４４】
本実施形態に係るズームレンズにおいて、Ｍ２Ｅレンズ群Ｍ２Ｅの条件式（１）および（２）を満足する少なくとも１枚の正レンズは、Ｍ２Ｅレンズ群Ｍ２Ｅの正レンズのｇ線とＦ線間の部分分散比をθｇＦとした場合、条件式（５）を満足することが好ましい。Ｍ２Ｅレンズ群Ｍ２Ｅの条件式（１）および（２）を満足する正レンズが、さらに条件式（５）を満足することによって、１次と２次の軸上色収差を良好に補正可能となる。なお、条件式（５−１）を満足するものとすれば、より良好な特性とすることができる。
０．６２＜θｇＦ＋０．００１６２５×νｄ１＜０．６７    （５）
０．６３＜θｇＦ＋０．００１６２５×νｄ１＜０．６６    （５−１）
【００４５】
また、Ｍ２Ｅレンズ群Ｍ２Ｅの正レンズのｇ線とＦ線間の部分分散比をθｇＦ、Ｍ２Ｅレンズ群Ｍ２Ｅの正レンズの（θｇＦ＋０．００１６２５×νｄ１）の平均値を（θｇＦ＋０．００１６２５×νｄ１）＿ａｖｅ＿Ｐとした場合、条件式（６）を満足することが好ましい。条件式（６）を満足することによって、条件式（１）および（５）の効果をより向上させることができる。なお、条件式（６−１）を満足するものとすれば、より良好な特性とすることができる。
０．６２＜（θｇＦ＋０．００１６２５×νｄ１）＿ａｖｅ＿Ｐ＜０．６７    （６）
０．６３＜（θｇＦ＋０．００１６２５×νｄ１）＿ａｖｅ＿Ｐ＜０．６６    （６−１）
【００４６】
また、Ｍ２Ｅレンズ群Ｍ２Ｅの負レンズの屈折率の平均値をｎｄ＿ａｖｅ＿Ｎ、Ｍ２Ｅレンズ群Ｍ２Ｅの正レンズの屈折率の平均値をｎｄ＿ａｖｅ＿Ｐとした場合、条件式（７）を満足することが好ましい。条件式（７）の上限以上とならないようにすることによって、球面収差の補正が容易となる。条件式（７）の下限以下とならないようにすることによって、像面湾曲の補正が容易となる。なお、条件式（７−１）および／または（７−２）を満足するものとすれば、より良好な特性とすることができる。
０．０１＜ｎｄ＿ａｖｅ＿Ｎ−ｎｄ＿ａｖｅ＿Ｐ＜０．２    （７）
０．０１＜ｎｄ＿ａｖｅ＿Ｎ−ｎｄ＿ａｖｅ＿Ｐ＜０．１５    （７−１）
０．０１＜ｎｄ＿ａｖｅ＿Ｎ−ｎｄ＿ａｖｅ＿Ｐ＜０．１    （７−２）
【００４７】
また、Ｍ２Ｅレンズ群Ｍ２Ｅは、少なくとも１枚の正レンズと少なくとも１枚の負レンズを備える接合レンズを少なくとも３つ備えることが好ましい。このような構成とすることによって、色収差を良好に補正可能となる。また、球面収差の波長による差を低減することができる。さらに、レンズ系全長が伸びるのを抑制することができる。
【００４８】
また、Ｍ２Ｅレンズ群Ｍ２Ｅの接合レンズを構成する正レンズのｄ線基準のアッベ数をνｄ＿Ｐ１、Ｍ２Ｅレンズ群Ｍ２Ｅの接合レンズを構成する正レンズのｄ線基準のアッベ数をνｄ＿Ｐ２、Ｍ２Ｅレンズ群Ｍ２Ｅの接合レンズを構成する負レンズのｄ線基準のアッベ数をνｄ＿Ｎ１、Ｍ２Ｅレンズ群Ｍ２Ｅの接合レンズを構成する負レンズのｄ線基準のアッベ数をνｄ＿Ｎ２とした場合、Ｍ２Ｅレンズ群Ｍ２Ｅが備える接合レンズのうち、少なくとも２つは条件式（８）を満足し、Ｍ２Ｅレンズ群Ｍ２Ｅが備える接合レンズのうち、少なくとも１つは条件式（９）を満足することが好ましい。このような構成とすることによって、色収差を良好に補正可能となる。また、球面収差の波長による差を低減することができる。なお、条件式（８−１）および／または（８−２）を満足するものとすれば、より良好な特性とすることができる。同様に、条件式（９−１）および／または（９−２）を満足するものとすれば、より良好な特性とすることができる。
１０＜νｄ＿Ｐ１−νｄ＿Ｎ１＜３０    （８）
１７＜νｄ＿Ｐ１−νｄ＿Ｎ１＜３０    （８−１）
１９＜νｄ＿Ｐ１−νｄ＿Ｎ１＜３０    （８−２）
１０＜νｄ＿Ｎ２−νｄ＿Ｐ２＜３５    （９）
１７＜νｄ＿Ｎ２−νｄ＿Ｐ２＜３５    （９−１）
１９＜νｄ＿Ｎ２−νｄ＿Ｐ２＜３５    （９−２）
【００４９】
また、Ｍ２Ｅレンズ群Ｍ２Ｅは、物体側から順に、３つの接合レンズと、物体側に凹面を向けた負メニスカスレンズとからなることが好ましい。このように、Ｍ２Ｅレンズ群Ｍ２Ｅの最も像側に負レンズを配置することによって、結像倍率を拡大させることが容易となる。また、３つの接合レンズを設けることによって色収差を良好に補正することができ、さらに、物体側に凹面を向けた負メニスカスレンズを設けることによって非点収差の発生を抑制することができる。
【００５０】
また、合焦部Ｆに含まれる合焦用レンズ群Ｆ２は、正の屈折力を有し、変倍部Ｖは、物体側から順に、負の屈折力を有するＶ１レンズ群Ｖ１と、正の屈折力を有するＶ２レンズ群Ｖ２と、正の屈折力を有するＶ３レンズ群Ｖ３とからなり、結像部Ｍは、正の屈折力を有し、広角端から望遠端への変倍時に、Ｖ１レンズ群Ｖ１と、Ｖ２レンズ群Ｖ２およびＶ３レンズ群Ｖ３からなる合成群とは、それぞれの横倍率が−１倍の点を同時に通ることが好ましい。なお、図１では、Ｖ１レンズ群Ｖ１、Ｖ２レンズ群Ｖ２、および、Ｖ３レンズ群Ｖ３の変倍時の移動軌跡と、横倍率が−１倍の位置を示している。
【００５１】
このように、変倍部Ｖの負の屈折力を有するＶ１レンズ群Ｖ１に対し、正の屈折力を有するＶ２レンズ群Ｖ２およびＶ３レンズ群Ｖ３の２つの群で変倍に伴う像面変動を補正し、かつＶ２レンズ群Ｖ２およびＶ３レンズ群Ｖ３を相対的に移動させるフローティング方式とすることによって、変倍時の像面の変動の補正とともに、変倍時の球面収差の変動を良好に補正することが可能となる。
【００５２】
また、Ｍ１レンズ群Ｍ１は負の屈折力を有し、Ｍ２Ｅレンズ群Ｍ２ＥおよびＭ３レンズ群Ｍ３は正の屈折力を有することが好ましい。このように、結像部Ｍの最も物体側に負の屈折力を有するＭ１レンズ群Ｍ１を配置することによって、バックフォーカスを容易に確保することができる。また、結像部Ｍの正の屈折力をＭ２Ｅレンズ群Ｍ２ＥおよびＭ３レンズ群Ｍ３で分担することによって、諸収差の発生を抑制することができる。
【００５３】
なお、図１に示す例では、合焦部Ｆの物体側から３番目、４番目、および、５番目のレンズが合焦用レンズ群Ｆ２を構成しているが、この例とは異なるレンズ群を合焦用レンズ群とすることも可能である。同様に、本発明のズームレンズにおいては、変倍部Ｖが含む変倍用レンズ群の数も図１に示す例と異なる数とすることが可能である。
【００５４】
以上述べた好ましい構成および可能な構成は、任意の組合せが可能であり、要求される仕様に応じて適宜選択的に採用されることが好ましい。
【００５５】
次に、本発明のズームレンズの数値実施例について説明する。
【００５６】
［実施例１（基準状態）］
実施例１の基準状態のズームレンズの構成を図１に示す。図１の図示方法は上述しているため、ここでは重複説明を一部省略する。
【００５７】
実施例１の基準状態のズームレンズは、光軸Ｚに沿って物体側から像側へ向かって順に、合焦のために移動する合焦用レンズ群Ｆ２を含む合焦部Ｆと、変倍のために相互間隔を変化させて移動するＶ１レンズ群Ｖ１、Ｖ２レンズ群Ｖ２、および、Ｖ３レンズ群Ｖ３からなる変倍部Ｖと、通過光量を制限する開口絞りＳｔと、Ｍ１レンズ群Ｍ１、Ｍ２Ｎレンズ群Ｍ２Ｎ、および、Ｍ３レンズ群Ｍ３からなる結像部Ｍとから構成されている。
【００５８】
実施例１の基準状態のズームレンズの基本レンズデータを表１Ａおよび表１Ｂに、諸元に関するデータを表２に、可変面間隔に関するデータを表３に、非球面係数に関するデータを表４に示す。
【００５９】
表１のレンズデータにおいて、面番号の欄には最も物体側の構成要素の面を１番目として像側に向かうに従い順次増加する面番号を示し、曲率半径の欄には各面の曲率半径を示し、面間隔の欄には各面とその次の面との光軸Ｚ上の間隔を示す。また、ｎの欄には各光学要素のｄ線（波長５８７．５６ｎｍ）における屈折率を示し、νの欄には各光学要素のｄ線（波長５８７．５６ｎｍ）におけるアッベ数を示し、θｇＦの欄には各光学要素のｇ線（波長４３５．８４ｎｍ）とＦ線（波長４８６．１３ｎｍ）間の部分分散比を示し、ｄｎ／ｄｔの欄には各光学要素の空気中でのｄ線（波長５８７．５６ｎｍ）における屈折率の温度変化係数の０℃から４０℃の平均値を示す。
【００６０】
曲率半径の符号は、面形状が物体側に凸の場合を正、像側に凸の場合を負としている。基本レンズデータには、開口絞りＳｔ、光学部材ＰＰも含めて示している。開口絞りＳｔに相当する面の面番号の欄には面番号とともに（絞り）という語句を記載している。また、Ｍ２Ｎレンズ群Ｍ２Ｎに相当する面の面番号の欄には面番号とともに（ＮＯＲ）という語句を記載している。また、表１のレンズデータにおいて、変倍時に間隔が変化する面間隔の欄にはそれぞれＤＤ[面番号]と記載している。このＤＤ[面番号]に対応する数値は表３に示している。
【００６１】
表２の諸元に関するデータに、ズーム倍率、焦点距離ｆ、ＦナンバーＦＮｏ．、全画角２ω（°）の値を示す。
【００６２】
表１のレンズデータでは、非球面の面番号に＊印を付しており、非球面の曲率半径として近軸の曲率半径の数値を示している。表４の非球面係数に関するデータには、非球面の面番号と、これら非球面に関する非球面係数を示す。表４の非球面係数の数値の「Ｅ±ｎ」（ｎ：整数）は「×１０±ｎ」を意味する。非球面係数は、下記式で表される非球面式における各係数ＫＡ、Ａｍの値である。
Ｚｄ＝Ｃ・ｈ２／｛１＋（１−ＫＡ・Ｃ２・ｈ２）１/２｝＋ΣＡｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からの距離）
Ｃ：近軸曲率半径の逆数
ＫＡ、Ａｍ：非球面係数であり、非球面深さＺｄにおけるΣはｍに関する総和を意味する。
【００６３】
基本レンズデータおよび諸元に関するデータにおいて、角度の単位としては°を用い、長さの単位としてはｍｍ（ミリメートル）を用いているが、光学系は比例拡大又は比例縮小しても使用可能なため他の適当な単位を用いることもできる。
【００６４】
【表１Ａ】
2020003728.tif 000003
【００６５】
【表１Ｂ】
2020003728.tif 000004
【００６６】
【表２】
2020003728.tif 000005
【００６７】
【表３】
2020003728.tif 000006
【００６８】
【表４】
2020003728.tif 000007
【００６９】
図４に実施例１のズームレンズの基準状態の無限遠物体に合焦した状態での各収差図を示す。図５では左から順に、球面収差、非点収差、歪曲収差（ディストーション）、および倍率色収差（倍率の色収差）を示す。図４では、上段に広角端での各収差図を示し、下段に望遠端での各収差図を示す。球面収差図では、ｄ線（波長５８７．５６ｎｍ）、Ｃ線（波長６５６．２７ｎｍ）、Ｆ線（波長４８６．１３ｎｍ）、およびｇ線（波長４３５．８４ｎｍ）に関する収差をそれぞれ実線、長破線、短破線、および灰色の実線で示す。非点収差図では、サジタル方向のｄ線に関する収差を実線で示し、タンジェンシャル方向のｄ線に関する収差を短破線で示す。歪曲収差図ではｄ線に関する収差を実線で示す。倍率色収差図では、Ｃ線、Ｆ線、およびｇ線に関する収差をそれぞれ長破線、短破線、および灰色の実線で示す。球面収差図のＦＮｏ．はＦナンバーを意味し、その他の収差図のωは半画角を意味する。
【００７０】
上記の実施例１（基準状態）の説明で述べた各データの記号、意味、および記載方法は、特に断りがない限り以下に述べる実施例１（置換状態）、実施例２（基準状態）、実施例３（基準状態）のものについても同様であるので、以下では重複説明を省略する。
【００７１】
［実施例１（置換状態）］
実施例１の置換状態のズームレンズにおける結像部Ｍとその近傍の構成を図２に示す。置換状態では、Ｍ２Ｎレンズ群Ｍ２ＮがエクステンダーレンズであるＭ２Ｅレンズ群Ｍ２Ｅに置換される。
【００７２】
置換状態において、結像部Ｍは、レンズＬ１１〜Ｌ１３の３枚のレンズからなるＭ１レンズ群Ｍ１、レンズＬ２１〜Ｌ２７の７枚のレンズからなるＭ２Ｅレンズ群Ｍ２Ｅ、および、レンズＬ３１〜Ｌ３６の６枚のレンズからなるＭ３レンズ群Ｍ３から構成される。
【００７３】
実施例１の置換状態のズームレンズについて、基本レンズデータを表５Ａおよび表５Ｂに、諸元に関するデータを表６に、可変面間隔に関するデータを表７に、非球面係数に関するデータを表８に示す。なお、表５の基本レンズデータにおいて、Ｍ２Ｅレンズ群Ｍ２Ｅに相当する面の面番号の欄には面番号とともに（ＥＸＴ）という語句を記載している。また、置換状態の各収差図を図６に示す。
【００７４】
【表５Ａ】
2020003728.tif 000008
【００７５】
【表５Ｂ】
2020003728.tif 000009
【００７６】
【表６】
2020003728.tif 000010
【００７７】
【表７】
2020003728.tif 000011
【００７８】
【表８】
2020003728.tif 000012
【００７９】
［実施例２（置換状態）］
実施例２の基準状態のズームレンズは、実施例１の基準状態のズームレンズと同じ構成であるため説明を省略する。実施例２の置換状態のズームレンズにおける結像部Ｍとその近傍の構成を図３に示す。置換状態における結像部Ｍのレンズ枚数は、実施例１と同じである。実施例２の置換状態のズームレンズについて、基本レンズデータを表９Ａおよび表９Ｂに、諸元に関するデータを表１０に、可変面間隔に関するデータを表１１に、非球面係数に関するデータを表１２に示す。なお、表９の基本レンズデータにおいて、Ｍ２Ｅレンズ群Ｍ２Ｅに相当する面の面番号の欄には面番号とともに（ＥＸＴ）という語句を記載している。また、置換状態の各収差図を図７に示す。
【００８０】
【表９Ａ】
2020003728.tif 000013
【００８１】
【表９Ｂ】
2020003728.tif 000014
【００８２】
【表１０】
2020003728.tif 000015
【００８３】
【表１１】
2020003728.tif 000016
【００８４】
【表１２】
2020003728.tif 000017
【００８５】
［実施例３（置換状態）］
実施例３の基準状態のズームレンズは、実施例１の基準状態のズームレンズと同じ構成であるため説明を省略する。実施例３の置換状態のズームレンズにおける結像部Ｍとその近傍の構成を図４に示す。置換状態における結像部Ｍのレンズ枚数は、実施例１と同じである。実施例３の置換状態のズームレンズについて、基本レンズデータを表１３Ａおよび表１３Ｂに、諸元に関するデータを表１４に、可変面間隔に関するデータを表１５に、非球面係数に関するデータを表１６に示す。なお、表１３の基本レンズデータにおいて、Ｍ２Ｅレンズ群Ｍ２Ｅに相当する面の面番号の欄には面番号とともに（ＥＸＴ）という語句を記載している。また、置換状態の各収差図を図８に示す。
【００８６】
【表１３Ａ】
2020003728.tif 000018
【００８７】
【表１３Ｂ】
2020003728.tif 000019
【００８８】
【表１４】
2020003728.tif 000020
【００８９】
【表１５】
2020003728.tif 000021
【００９０】
【表１６】
2020003728.tif 000022
【００９１】
表１７に、実施例１〜３のズームレンズの条件式（１）〜（９）の対応値を示す。表１７に示す値はｄ線を基準とするものである。
【００９２】
【表１７】
2020003728.tif 000023
【００９３】
以上のデータから、実施例１〜３のズームレンズは全て、エクステンダーレンズに置換時の温度変化に伴う焦点位置ズレを良好に補正しつつ、色収差を低減して、高い光学性能を実現していることがわかる。
【００９４】
次に、本発明の実施形態に係る撮像装置について説明する。図９に、本発明の実施形態の撮像装置の一例として、本発明の実施形態に係るズームレンズ１を用いた撮像装置１０の概略構成図を示す。撮像装置１０としては、例えば、放送用カメラ、映画撮影用カメラ、デジタルカメラ、ビデオカメラ、および、監視用カメラ等を挙げることができる。
【００９５】
撮像装置１０は、ズームレンズ１と、ズームレンズ１の像側に配置された光学部材２と、光学部材２の像側に配置された撮像素子３とを備えている。光学部材２はフィルタおよび／またはプリズムを想定したものである。なお、図９では、ズームレンズ１が備える合焦部Ｆ、変倍部Ｖ、結像部Ｍ、Ｍ１レンズ群Ｍ１、Ｍ２Ｎレンズ群Ｍ２Ｎ、Ｍ３レンズ群Ｍ３、および、エクステンダーレンズであるＭ２Ｅレンズ群Ｍ２Ｅを概略的に図示し、開口絞りＳｔは図示を省略している。
【００９６】
撮像素子３はズームレンズ１により形成される光学像を電気信号に変換するものであり、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等を用いることができる。撮像素子３は、その撮像面がズームレンズ１の像面に一致するように配置される。なお、図９では１つの撮像素子３のみ図示しているが、本発明の撮像装置はこれに限定されず、３つの撮像素子を有するいわゆる３板方式の撮像装置であってもよい。
【００９７】
撮像装置１０はまた、撮像素子３からの出力信号を演算処理する信号処理部４と、ズームレンズ１の変倍を制御する変倍制御部５と、ズームレンズ１の合焦を制御するフォーカス制御部６とを備えている。変倍制御部５によりＭ２Ｎレンズ群Ｍ２ＮとエクステンダーレンズであるＭ２Ｅレンズ群Ｍ２Ｅの置換が行われる。
【００９８】
以上、実施形態および実施例を挙げて本発明を説明したが、本発明は上記実施形態および実施例に限定されず、種々の変形が可能である。例えば、各レンズ群が有するレンズの枚数、各レンズの曲率半径、面間隔、屈折率、アッベ数、部分分散比および非球面係数は、上記各数値実施例で示した値に限定されず、他の値をとり得るものである。
【符号の説明】
【００９９】
１    ズームレンズ
２    光学部材
３    撮像素子
４    信号制御部
５    変倍制御部
６    フォーカス制御部
１０    撮像装置
Ｆ    合焦部
Ｆ２    合焦用レンズ群
Ｌ１１〜Ｌ１３、Ｌ２１〜Ｌ２７、Ｌ３１〜Ｌ３６    レンズ
Ｍ    結像部
Ｍ１    Ｍ１レンズ群
Ｍ２Ｎ    Ｍ２Ｎレンズ群
Ｍ２Ｅ    Ｍ２Ｅレンズ群
Ｍ３    Ｍ３レンズ群
ＰＰ    光学部材
Ｓｉｍ    像面
Ｓｔ    開口絞り
Ｖ    変倍部
Ｖ１    Ｖ１レンズ群
Ｖ２    Ｖ２レンズ群
Ｖ３    Ｖ３レンズ群
Ｚ    光軸
【図１】
2020003728.tif 000024
【図２】
2020003728.tif 000025
【図３】
2020003728.tif 000026
【図４】
2020003728.tif 000027
【図５】
2020003728.tif 000028
【図６】
2020003728.tif 000029
【図７】
2020003728.tif 000030
【図８】
2020003728.tif 000031
【図９】
2020003728.tif 000032